(57)【要約】【課題】風路経路内に糸くずが堆積することなく、長期間乾燥性能を発揮すること。【解決手段】ヒートポンプ装置３０の上流側に設けられた糸くず捕集用のフィルターを内蔵するフィルターケース２３と水槽３の間に接続された排気ホース２４は、蛇腹部２７を、排気ホース２４内を流れる風の向きに対して所定の角度２４ｂを設けて形成するとともに、蛇腹部２７を構成する蛇腹山部２４ａを連続する螺旋状に形成する構成とすることにより、排気ホース２４の蛇腹部２７内に糸くずが堆積することなく、長期間に亘って効率良く乾燥性能を発揮することができる。【選択図】図１
2017012632.tif 000002
【特許請求の範囲】
【請求項１】
本体と、前記本体内に揺動自在に防振支持された外槽と、前記外槽に回転自在に内包された回転槽と、前記回転槽を回転駆動するモータと、前記外槽を介して前記回転槽内に供給する乾燥用空気を生成する加熱装置と、乾燥用空気を前記外槽および回転槽内に送風する送風機と、前記加熱装置の上流側に設けられた糸くず捕集用のフィルターを内蔵するフィルターケースと、前記外槽と前記フィルターケースとの間に接続され屈曲部近傍に蛇腹部を有する排気ホースとを備え、前記排気ホースは、前記蛇腹部を、前記排気ホース内を流れる風の向きに対して所定の角度を設けて形成するとともに、前記蛇腹部を構成する蛇腹山部を連続する螺旋状に形成した乾燥機。
【発明の詳細な説明】
【技術分野】
【０００１】
本発明は、回転槽内に衣類を収容し、乾燥を行なう乾燥機に関するものである。
【背景技術】
【０００２】
従来、乾燥機の一例として、ドラム式洗濯乾燥機が知られている。この種のドラム式洗濯乾燥機は、衣類を収容する回転槽である回転ドラム内へ送風機により高温低湿の乾燥用空気を送風し、回転ドラム内の衣類の乾燥を行なう構成が提案されている（例えば、特許文献１参照）。
【０００３】
図５は、特許文献１に記載された従来のドラム式洗濯乾燥機の縦断面図、図６は、同ドラム式洗濯乾燥機の排気ホース蛇腹部の要部拡大断面図である。
【０００４】
図５、図６において、衣類を乾燥させるために、外槽である水槽４４および回転ドラム４１内の空気を送風部６４によって循環させる構成となっている。
【０００５】
回転ドラム４１内の洗濯物から水分を奪って多湿状態となった空気は、水槽４４の側面上部に設けられた排出口６５より、接続された排気ホース８０を通って、回転ドラム４１の外のフィルター部７６を介して、ヒートポンプ装置６６へと排出される。なお、このフィルター部７６は、回転ドラム４１内を通過する空気に混入している糸屑、埃、花粉などの異物を捕集することにより、ヒートポンプ装置６６内に異物が進入して堆積し性能が低下するのを防止しており、筺体４１上部の天板６２側よりフィルター部７６に溜まった異物を除去することができる。また、排気ホース８０には、水槽４４の振動がフィルター部７６やヒートポンプ装置６６に伝わらないよう蛇腹部８１が設けている。
【０００６】
ヒートポンプ装置６６は、冷媒を圧縮する圧縮機６７と、圧縮されて高温高圧となった冷媒の熱を放熱する加熱部（放熱器）６８と、高圧の冷媒の圧力を減圧するための絞り部６９と、減圧されて低圧となった冷媒によって周囲から熱を奪う除湿部（吸熱器）７０と、これら４つの部材を連結して冷媒を循環させる管路７１とを具備している。水槽４４から排出された空気は除湿部（吸熱器）７０で除湿される。除湿部（吸熱器）７０で除湿した乾燥用空気は、加熱部（放熱器）６８で加熱される。加熱された乾燥用空気は、循環風路７２の途中に配設された送風部６４から、循環風路７２を通過し、循環風路７２の端部で、回転ドラム４１の後方に開口した吹出口７３から、再び回転ドラム４１内に吹き出し、衣類の間を通って、再度排出口６５に導かれて、循環する。
【０００７】
送風部６４は、ヒートポンプ装置６６の下流に設けられ、加熱部６８で加熱された乾燥用空気を循環風路７２の下流側へと送り出すが、この送風部６４は、送風用ファン７４と送風用ファンモータ７５とを具備している。
【０００８】
また、上述の排気ホース８０の蛇腹部８１は、空気の流れに対して略直角方向なっており、独立した蛇腹山部８０ａが複数個隣接して形成され蛇腹部８１を構成している。
【先行技術文献】
【特許文献】
【０００９】
【特許文献１】特開２０１２−８５８４０号公報
【発明の概要】
【発明が解決しようとする課題】
【００１０】
しかしながら、前記従来の構成では、排気ホースは、循環風路においてフィルターの上流となり、乾燥で衣類から出た糸くずを含んだ風が流れるが、蛇腹部の蛇腹山部においては空気の停留が起こりやすいため、蛇腹山部の内側に糸くずが堆積して風路の断面積が減少し、乾燥効率が低下するという課題があった。
【００１１】
本発明は、前記従来の課題を解決するもので、排気ホースの蛇腹部を糸くずが堆積しにくい構成とすることにより、長期間に亘って効率良く乾燥性能を発揮することができる乾燥機を提供することを目的とする。
【課題を解決するための手段】
【００１２】
前記従来の課題を解決するために、本発明の乾燥機は、本体と、前記本体内に揺動自在に防振支持された外槽と、前記外槽に回転自在に内包された回転槽と、前記回転槽を回転駆動するモータと、前記外槽を介して前記回転槽内に供給する乾燥用空気を生成する加熱装置と、乾燥用空気を前記外槽および回転槽内に送風する送風機と、前記加熱装置の上流側に設けられた糸くず捕集用のフィルターを内蔵するフィルターケースと、前記外槽と前記フィルターケースとの間に接続され屈曲部近傍に蛇腹部を有する排気ホースとを備え、前記排気ホースは、前記蛇腹部を、前記排気ホース内を流れる風の向きに対して所定の角度を設けて形成するとともに、前記蛇腹部を構成する蛇腹山部を連続する螺旋状に形成する構成としたものである。
【００１３】
これによって、排気ホース内に糸くずが堆積しにくくなり、長期間に亘って効率良く乾燥性能を発揮することができる。
【発明の効果】
【００１４】
本発明の乾燥機は、排気ホース内に糸くずが堆積しにくい構成とすることができ、長期間に亘って効率良く乾燥性能を発揮することができる。
【図面の簡単な説明】
【００１５】
【図１】本発明の実施の形態におけるドラム式洗濯乾燥機の縦断面図
【図２】同ドラム式洗濯乾燥機の後方から内部構成を見た斜視図
【図３】同ドラム式洗濯乾燥機のヒートポンプ装置内部の平面図
【図４】同ドラム式洗濯乾燥機の排気ホース蛇腹部の要部拡大断面図
【図５】従来のドラム式洗濯乾燥機の縦断面図
【図６】同ドラム式洗濯乾燥機の排気ホース蛇腹部の要部拡大断面図
【発明を実施するための形態】
【００１６】
第１の発明は、本体と、前記本体内に揺動自在に防振支持された外槽と、前記外槽に回転自在に内包された回転槽と、前記回転槽を回転駆動するモータと、前記外槽を介して前記回転槽内に供給する乾燥用空気を生成する加熱装置と、乾燥用空気を前記外槽および回転槽内に送風する送風機と、前記加熱装置の上流側に設けられた糸くず捕集用のフィルターを内蔵するフィルターケースと、前記外槽と前記フィルターケースとの間に接続され屈曲部近傍に蛇腹部を有する排気ホースとを備え、前記排気ホースは、前記蛇腹部を、前記排気ホース内を流れる風の向きに対して所定の角度を設けて形成するとともに、前記蛇腹部を構成する蛇腹山部を連続する螺旋状に形成する構成とすることにより、排気ホース内に糸くずが堆積しにくくなり、長期間に亘って効率良く乾燥性能を発揮することができる。
【００１７】
以下、本発明の実施の形態について、図面を参照しながら説明する。なお、この実施の形態によって本発明が限定されるものではない。
【００１８】
（実施の形態１）
図１は、本発明の実施の形態におけるドラム式洗濯乾燥機の縦断面図、図２は、同ドラム式洗濯乾燥機の後方から内部構成を見た斜視図である。
【００１９】
本実施の形態では、洗濯機能及び乾燥機能を備えたドラム式洗濯乾燥機に基づいて説明するが、乾燥機能のみを備えた乾燥機でもよく、縦型の洗濯乾燥機でもよい。また、本実施の形態では、空気を乾燥する加熱装置として、ヒートポンプ装置を用いているが、ヒータ装置を用いてもよい。
【００２０】
図１、図２において、回転槽である回転ドラム１は、有底円筒形に形成し外周部に多数の通水孔２を全面に設け、外槽である水槽３内に回転自在に配設している。回転ドラム１の回転中心に傾斜方向に回転軸（回転中心軸）４を設け、回転ドラム１の軸心方向を正面側から背面側に向けて下向きに傾斜させて配設している。回転軸４に、水槽３の背面に取り付けたモータ５を連結し、回転ドラム１を正転、逆転方向に回転駆動する。また、回転ドラム１の内壁面には衣類撹拌用の複数個の突起板６を設けている。
【００２１】
水槽３の正面側の上向き傾斜面に設けた開口部を蓋体７により開閉自在に覆い、蓋体７を開くことにより衣類出入口８を通して回転ドラム１内に洗濯物を出し入れできるようにしている。
【００２２】
水槽３は、防振部材９などにより洗濯乾燥機本体１００内に揺動自在に防振支持され、水槽３の下部に排水経路１０の一端を接続し、排水経路１０の他端を排水弁（排水手段）１１に接続して水槽３内の洗濯水を外部へ排水するようにしている。給水弁（給水手段）１２は、給水経路１３を通して水槽３内に水を給水するものである。
【００２３】
洗濯乾燥機本体１００の上部内方には、後述するヒートポンプ装置３０にて生成され回転ドラム１から水槽３を通って循環してきた乾燥用空気内の糸くずを捕集するフィルター（図示せず）を内蔵するフィルターケース２３が配設されている。
【００２４】
水槽３とフィルターケース２３を連結する排気ホース２４には、水槽３の振動がフィルターケース２３や洗濯乾燥機本体１００に伝わらないよう、屈曲部近傍に蛇腹部２７が設けている。また、フィルターケース２３は、洗濯乾燥機本体１００に固定しており、外方より内部のフィルターを取り外して掃除できるようにフィルターケースフタ２２が設けてある。
【００２５】
制御手段２１は、洗濯乾燥機本体１００の内部前下部に配置されており、操作表示部１４からの入力設定により、モータ５、ヒートポンプ装置３０、送風機２０等を制御し、洗い、すすぎ、脱水、乾燥の一連の行程を逐次制御している。
【００２６】
ヒートポンプ装置３０は、乾燥行程において、回転ドラム１内に供給する乾燥用空気を生成する加熱装置であり、水槽３、排気ホース２４、フィルターケース２３、ダクト２５、ヒートポンプ装置３０、送風ホース２６、送風機２０とで乾燥用空気の循環風路を形成している。
【００２７】
なお、本実施の形態では、回転ドラム１の回転中心に傾斜方向に回転軸４を設け、回転ドラム１の軸心方向を正面側から背面側に向けて下向きに傾斜させて配設しているが、水平方向に配設してもよい。
【００２８】
モータ５は、直流ブラシレスモータ等で構成され、制御手段２１およびモータ駆動回路（図示せず）等により正回転、逆回転、および回転数可変に制御されると共に、電流検知
回路（図示せず）からの信号により、モータ５に加わる負荷即ち洗濯物の量を検知する。
【００２９】
図３は、本発明の実施の形態におけるドラム式洗濯乾燥機のヒートポンプ装置内部の平面図である。
【００３０】
図３において、ヒートポンプ装置３０は、ヒートポンプ装置筐体３１の中に圧縮機３２、放熱器３３、減圧器３４および吸熱器３５を設け、これらは配管３６等で連結され冷媒（図示せず）が充填されている。
【００３１】
まず圧縮機３２にて冷媒を高温高圧とし、放熱器３３にてヒートポンプ装置筐体３１内の空気と熱交換を行い、熱を与え冷媒は液化する。その後、減圧器３４で低温低圧となり、次に置かれた吸熱器３５にてヒートポンプ装置筐体３１内の空気と再び熱交換を行い、熱を奪い冷媒は気化する。気化した冷媒は圧縮機３２へと戻り、一連の冷凍サイクルを形成する。
【００３２】
ヒートポンプ装置３０に用いる冷媒としては、ＨＦＣ（ハイドロフルオロカーボン）系冷媒、ＨＦＯ（ハイドロフルオロオレフィン）系冷媒、二酸化炭素冷媒などの一般的な冷媒を使用することができる。
【００３３】
ドラム式洗濯乾燥機では、放熱器３３にて加温した高温低湿の空気を筐体出口３１ｂに接続した送風機２０にて循環風路（図示せず）、吹き出し口（図示せず）を通して回転ドラム１内へ送り、回転ドラム１の湿布と接触させることで低温高湿の空気を作る。この低温高湿の空気は循環風路（図示せず）から再びヒートポンプ装置３０に入り、ヒートポンプ装置３０の筐体入口３１ａを通過し、吸熱器３５にて熱交換し、熱を奪うことで除湿する。除湿された空気は再び放熱器３３にて加温され、これら一連のサイクルにて衣類の除湿を行なう。
【００３４】
なお、除湿した水は、ヒートポンプ装置筐体３１に取り付けたポンプ（図示せず）によって外部へと排水する。ポンプは、ヒートポンプ装置筐体３１以外の場所に取り付けることも可能であり、また、ポンプを使わずに自然排水することも可能である。
【００３５】
以上のように構成されたドラム式洗濯乾燥機について、以下、その動作、作用を説明する。
【００３６】
図４は、本発明の実施の形態におけるドラム式洗濯乾燥機の排気ホース蛇腹部の要部拡大断面図である。
【００３７】
図４において、排気ホース２４の蛇腹部２７は、蛇腹山部２４ａが螺旋状に連続した形状に形成しており、蛇腹山部２４ａの螺旋の方向が風向に対して９０度以下となる角度２４ｂに形成している。
【００３８】
排気ホース２４は、回転ドラム１内に収容する衣類から発生する糸くずを回収するフィルターを内蔵するフィルターケース２３に対して風路上流側に配置しているため、糸くずを含んだ風が通過する際に、風に含まれる糸くずが蛇腹部２７の蛇腹山部２４ａ内側に堆積し、乾燥性能に悪影響を及ぼす虞がある。
【００３９】
本実施の形態では、蛇腹山部２４ａを螺旋状に形成して螺旋の方向を風の流れに対して角度２４ｂを設けることにより、蛇腹山部２４ａ内に斜めに風が流れ込むため、蛇腹山部２４ａの谷部分における空気の滞留が抑制される。これにより、排気ホース２４内への糸くずの堆積を抑制することができる。
【００４０】
つまり、排気ホース２４内の糸くずの停滞を抑制することにより、風路面積の減少が抑制されるので、乾燥効率が低下することがなく、長期間に亘って効率良く乾燥性能を発揮することができる。
【００４１】
本出願人が種々実験を行った結果、蛇腹山部２４ａの螺旋の角度２４ｂは６０度、蛇腹山部２４ａの螺旋の間隔は１５ｍｍ、蛇腹山部２４ａは３回螺旋させた形状が良好であったが、風量、風速等により調整する必要があり、角度・間隔・山数を限定するものではない。また、角度を段階的に変化させてもよい。
【００４２】
また、本実施の形態では、ヒートポンプ装置３０を洗濯乾燥機本体１００の内方下部に設置しているが、上部に設置してもよい。また、送風機２０はヒートポンプ装置３０と離れた場所に配置しているが、直接接続してもよい。また、フィルターケース２３とヒートポンプ装置３０を分けているが、一体としてもよい。また、ヒートポンプ式による乾燥装置としているが、ヒータ式による乾燥装置としてもよい。
【００４３】
以上のように、本実施の形態においては、ヒートポンプ装置３０の上流側に設けられた糸くず捕集用のフィルターを内蔵するフィルターケース２３と水槽３の間に接続された排気ホース２４は、蛇腹部２７を、排気ホース２４内を流れる風の向きに対して所定の角度２４ｂを設けて形成するとともに、蛇腹部２７を構成する蛇腹山部２４ａを連続する螺旋状に形成する構成とすることにより、排気ホース２４の蛇腹部２７内に糸くずが堆積することなく、長期間に亘って効率良く乾燥性能を発揮することができる。
【産業上の利用可能性】
【００４４】
以上のように、本発明にかかるドラム式洗濯乾燥機は、乾燥用空気が循環する風路経路内に糸くずが堆積して乾燥効率が低下することなく、長期間に亘って効率良く乾燥性能を発揮することができるので、乾燥機能を有する他の洗濯機や衣類乾燥機の用途に適用できる。
【符号の説明】
【００４５】
１００  洗濯乾燥機本体
１  回転ドラム
３  水槽
５  モータ
２０  送風機
２１  制御手段
２３  フィルターケース
２４  排気ホース
２４ａ  蛇腹山部
２４ｂ  角度
２７  蛇腹部
３０  ヒートポンプ装置
【図１】
2017012632.tif 000003
【図２】
2017012632.tif 000004
【図３】
2017012632.tif 000005
【図４】
2017012632.tif 000006
【図５】
2017012632.tif 000007
【図６】
2017012632.tif 000008